(57)【特許請求の範囲】
【請求項１】
原地盤に矢板を打ち込んで水の浸入を防止して造成箇所を形成し、
該造成箇所に密度が１．１ｇ／ｃｍ３以上で透水係数が１．０×１０−５ｃｍ／ｓ以下である外側軽量土で外部の水を浸透させない厚さで凹部を形成し、
該凹部の内に密度が０．８ｇ／ｃｍ３以下で透水係数が１．０×１０−３ｃｍ／ｓ以上の内側軽量土を打設し、
次に、前記外側軽量土と前記内側軽量土とでなる気泡混合軽量土が浮力で浮き上がらないように、前記内側軽量土の上に外側軽量土による上部蓋体を所要の厚さで形成し、
前記内側軽量土の周囲を前記外側軽量土で被覆して、前記原地盤に気泡混合軽量土を造成すること、
を特徴とする気泡混合軽量土の造成方法。
【発明の詳細な説明】
【技術分野】
【０００１】
本発明は気泡混合軽量土の造成方法に関するものである。
【背景技術】
【０００２】
従来、軽量土である気泡混合土を水中や水浸部に打設して埋立または気泡混合軽量土を造成する場合は、浮き上がり防止のために１．０ｇ／ｃｍ３以上の密度の軽量土を使用している。そのため１．０ｇ／ｃｍ３以下の密度の軽量土を使用して土圧軽減や荷重軽減を図ることは困難であり、特に気泡混合軽量土の周囲の遮水は気にせずに造成を行い、遮水性の高い部分を遮水シートで覆って遮水していた。またこの他の気泡混合軽量土の造成方法としては、例えば特開平９−１５８１６３号公報の発明が開示されている。
【特許文献１】特開平９−１５８１６３号公報
【発明の開示】
【発明が解決しようとする課題】
【０００３】
しかし、上記のような気泡混合軽量土の造成方法は、１．０ｇ／ｃｍ３以下の密度の軽量土にする場合は、気泡の量が多くなり、その気泡が連行して透水性が１．０×１０−３〜１０−４ｃｍ／ｓと高くなる。そのためこの軽量土を水中や水浸部などに打設すると水が軽量土中の気泡に入って軽量性が損なわれることになる。またこの軽量土を水中に打設すると浮き上がってしまうという問題があった。
【０００４】
本発明は上記のような問題に鑑みてなされたものであり、その目的は、軽量土への水の浸入を防ぐとともに、軽量土の水中打設の際の浮き上がりを防ぐことができる気泡混合軽量土の造成方法を提供することである。
【課題を解決するための手段】
【０００５】
以上の課題を解決するための気泡混合軽量土の造成方法は、原地盤に矢板を打ち込んで水の浸入を防止して造成箇所を形成し、該造成箇所に密度が１．１ｇ／ｃｍ３以上で透水係数が１．０×１０−５ｃｍ／ｓ以下である外側軽量土で外部の水を浸透させない厚さで凹部を形成し、該凹部の内に密度が０．８ｇ／ｃｍ３以下で透水係数が１．０×１０−３ｃｍ／ｓ以上の内側軽量土を打設し、次に、前記外側軽量土と前記内側軽量土とでなる気泡混合軽量土が浮力で浮き上がらないように、前記内側軽量土の上に外側軽量土による上部蓋体を所要の厚さで形成し、前記内側軽量土の周囲を前記外側軽量土で被覆して、原地盤に気泡混合軽量土を造成することである。
【発明の効果】
【０００６】
上記のように密度が軽く透水性の高い軽量土を密度が重く透水性の低い軽量土で被覆して形成した気泡混合軽量土、また密度が重く透水性の低い上下部の軽量土の間に、密度が軽く透水性の高い軽量土を挟んで形成した気泡混合軽量土を造成し、密度が軽く透水性の高い軽量土は密度が０．８ｇ／ｃｍ３以下で、透水係数が１．０×１０−３ｃｍ／ｓ以上であり、密度が重く透水性の低い軽量土は密度が１．１ｇ／ｃｍ３以上で、透水係数が１．０×１０−５ｃｍ／ｓ以下であるので、密度が軽く透水性の高い軽量土への水の浸入を防ぐことができるとともに、土圧軽減や荷重軽減を図ることができ、水中における浮き上がりを防ぐことができる。
【発明を実施するための最良の形態】
【０００７】
以下、本発明の気泡混合軽量土の造成方法の実施の形態を図面に基づいて詳細に説明する。図１は第１の実施の形態の気泡混合軽量土の造成方法であり、密度が軽く透水性の高い内側軽量土１を、密度が重く透水性の低い外側軽量土２で被覆して形成した気泡混合軽量土３を埋立土として、水位の高い原地盤４に形成したものである。この内側軽量土１は密度が０．８ｇ／ｃｍ３以下で、透水係数が１．０×１０−３ｃｍ／ｓ以上であり、密度が軽く透水性が高いものである。一方、外側軽量土２は密度が１．１ｇ／ｃｍ３以上で、透水係数が１．０×１０−５ｃｍ／ｓ以下であり、密度が重く透水性の低い難透水土である。この外側軽量土２は約１ｍの厚さで内側軽量土１を被覆し、この内側軽量土１に水を浸透させないようにしている。
【０００８】
これは、まず原地盤４に矢板を打ち込んで気泡混合軽量土の造成箇所（図示せず）を形成するとともに、その造成箇所に水が浸入しないようにする。次に、この造成箇所に密度が重く透水性の低い難透水土を１ｍの厚さで打設して外側軽量土における、底部と側部とが図１に示すような凹形の凹部５を形成する。そして、この凹部５内に密度が軽く透水性の高い軽量土である内側軽量土１を打設する。次に、この内側軽量土１を覆うようにして、密度が重く透水性の低い難透水土を１ｍの厚さで打設して外側軽量土における上部蓋体６を形成すると、水位の高い原地盤４に、密度が軽く透水性の高い内側軽量土１を、密度が重く透水性の低い外側軽量土２で被覆して気泡混合軽量土３が造成される。
【０００９】
図２は第２の実施の形態の気泡混合軽量土の造成方法であり、密度が軽く透水性の高い内側軽量土１を、密度が重く透水性の低い外側軽量土２の間に挟んで形成した気泡混合軽量土１０を埋立土として、水位の高い原地盤４に形成したものである。これも上記と同様に、原地盤４に矢板を打ち込んで気泡混合軽量土の造成箇所（図示せず）を形成するとともに、その造成箇所に水が浸入しないようにする。そして、この造成箇所に密度が重く透水性の低い難透水土を１ｍの厚さで打設して下部軽量土７を形成する。次に、この下部軽量土７の上に、密度が軽く透水性の高い軽量土を打設して中部軽量土８を形成する。次に、この中部軽量土８の上にこれを覆うようにして、密度が重く透水性の低い難透水土を１ｍの厚さで打設して上部軽量土９を形成すると、水位の高い原地盤に密度が軽く透水性の高い中部軽量土８を、密度が重く透水性の低い下部の軽量土７、９とで挟んだ気泡混合軽量土１０が形成される。
【００１０】
また上記の第１および第２の実施の形態の気泡混合軽量土の造成方法における内側気泡混合軽量土１および中部気泡混合軽量土８を発泡スチロールに替えることもできる。
【実施例】
【００１１】
次に、本発明の実施例について説明する。まず下記の表１に示した泥土、すなわち自然含水比が１０６．２％、土粒子の密度が２．６６１ｇ／ｃｍ３、砂礫分１２．５％、シルト・粘土分８７．５％、液性限界が７９．５％、塑性限界が４６．８％の性状の泥土を用いて、表２に示す二種類の配合で気泡混合軽量土を作成した。ここにおいて密度が１．１ｇ／ｃｍ３の軽量土は気泡が１６．２％であり、図３に示すように、透水係数は１．０×１０−５ｃｍ／ｓで透水性の低い難透水土である。したがって、この軽量土を水中に浸水させた場合は、図４に示すように、１．１３１ｇ／ｃｍ３となって、密度の変化がほとんどない。一方、密度が０．６ｇ／ｃｍ３の軽量土は気泡が５７．７％であり、図３に示すように、透水係数は６×１０−２ｃｍ／ｓで透水性が高い。したがって、この軽量土を水中に浸水させた場合は、図４に示すように、１．０２５ｇ／ｃｍ３となって密度が高くなる。
【００１２】
【表１】
0004796415.tif 000002
【００１３】
【表２】
0004796415.tif 000003
【００１４】
そして、この二種類の軽量土を使用して第１の実施の形態の気泡混合軽量土３を造成し、１年後に各軽量土の密度を計測し、その結果を下記の表３に示す。この結果、透水性の低い外側軽量土２の密度の変化はなく、透水性の高い内側軽量土１の密度の変化もなく、所定の密度を保つことができた。したがって、密度が重く難透水性の外側軽量土２により、密度が軽く透水性の高い内側軽量土１への水の浸入を防ぐことができるとともに、土圧軽減や荷重軽減を図ることができ、水中における浮き上がりを防ぐことができるという、本発明の効果を確認することができた。
【００１５】
【表３】
0004796415.tif 000004
【図面の簡単な説明】
【００１６】
【図１】第１の実施の形態の気泡混合軽量土の造成方法を示す断面図である。
【図２】第２の実施の形態の気泡混合軽量土の造成方法を示す断面図である。
【図３】密度と透水係数の関係図である。
【図４】浸水前後の密度を示す図である。
【符号の説明】
【００１７】
１  内側軽量土
２  外側軽量土
３、１０  気泡混合軽量土
４  原地盤
５  凹部
６  上部蓋体
７  下部軽量土
８  中部軽量土
９  上部軽量土
【図１】
0004796415.tif 000005
【図２】
0004796415.tif 000006
【図３】
0004796415.tif 000007
【図４】
0004796415.tif 000008